(57)【要約】  本発明の水電気分解によるガス粒子分離排出装置は、水と電解質が入っている容器と、前記容器の外部に位置して電源を発生する電気発生器と、容器の内部に位置して前記電気発生器の電源の供給を受けて電気分解し、電位の高い陽電極板と電位の低い陰電極板とからなる電極板と、前記陽電極板または前記陰電極板を絶縁材質で包み込むように設置され、電気分解により発生するガス粒子を大気中に排出する排出チューブとを含んでなる。【選択図】  図１
2019533089.tif 000002
【特許請求の範囲】
【請求項１】
水と電解質が入っている容器と、
前記容器の外部に位置して電源を発生する電気発生器と、
前記容器の内部に位置して前記電気発生器の電源の供給を受けて電気分解し、電位の高い陽電極板と電位の低い陰電極板とからなる電極板と、
前記陽電極板または前記陰電極板を絶縁材質で包み込むように設置され、電気分解により発生するガス粒子を大気中に排出する排出チューブとを含んでなる、水電気分解によるガス粒子分離排出装置。
【請求項２】
前記排出チューブは、メッシュ状をしており、水粒子は通過可能であり、電気分解により発生したガス粒子は抜け出せない大きさの目開きを有することを特徴とする、請求項１に記載の水電気分解によるガス粒子分離排出装置。
【請求項３】
前記排出チューブは、前記電極板と一定間隔離隔するように設置され、電気分解により発生したガス粒子が上部へ移動する通路を形成することを特徴とする、請求項２に記載の水電気分解によるガス粒子分離排出装置。
【請求項４】
前記排出チューブは、一端が水中に位置し、他端が水の外部へ突出するように設けられることを特徴とする、請求項２に記載の水電気分解によるガス粒子分離排出装置。
【請求項５】
前記排出チューブは、絶縁材質で出来ており、メッシュ状をして電気の流れには支障がないことを特徴とする、請求項２に記載の水電気分解によるガス粒子分離排出装置。
【発明の詳細な説明】
【技術分野】
【０００１】
本発明は、水電気分解によるガス粒子分離排出装置に係り、より詳細には、水電気分解の際に発生する酸素粒子と水素粒子を同時または個別に排出させる装置に関する。
【背景技術】
【０００２】
水素は、無色・無臭・無味であり、強力な還元力を保有している元素であるので、生活習慣病などの現代病の根源物質として知られている体内の活性酸素を除去する用途で広く活用されている。例えば、水素を高温、高圧のプラズマ状態でカルシウムなどのミネラルに吸蔵させる粉末製品、マグネシウムなどの金属と水との化学反応を用いて水素を生成する製品、溶存水素濃度を極大化させて製造された高濃度水素水飲料など、多様な形態の製品として発売されており、最近では国内外で水素水関連製品が多数発売されている。
一般に、水素水生成装置は、図１に示すように、電気分解のための陽電極板と陰電極板を水中に浸して、電気分解により生成される酸素粒子と水素粒子を一緒に水中に溶存させることになり、真正な水素水とは言え難いという問題点があった。
【先行技術文献】
【特許文献】
【０００３】
【特許文献１】韓国登録特許第１０−１５８７６９７号公報（公告日：２０１６年１月２２日）
【発明の概要】
【発明が解決しようとする課題】
【０００４】
本発明の実施形態は、かかる従来技術の問題点を解決するためのもので、その目的は、水素粒子を水中に溶存させ、酸素粒子のみを大気中に排出することができ、逆に、酸素粒子を水中に溶存させ、水素粒子のみを大気中に排出することができる装置を提供することにある。
【課題を解決するための手段】
【０００５】
上記目的を達成するための本発明の実施形態に係る水電気分解によるガス粒子分離排出装置は、水と電解質が入っている容器と、前記容器の外部に位置して電源を発生する電気発生器と、前記容器の内部に位置して前記電気発生器の電源の供給を受けて電気分解し、電位の高い陽電極板と電位の低い陰電極板からなる電極板と、前記陽電極板または前記陰電極板を絶縁材質で包み込むように設置され、電気分解により発生するガス粒子を大気中に排出する排出チューブとを含んでなる。
【０００６】
好ましくは、前記排出チューブは、メッシュ状をしており、水粒子は通過可能であり、電気分解により発生したガス粒子は抜け出せない大きさの目開きを有することを特徴とする。
【０００７】
好ましくは、前記排出チューブは、前記電極板と一定間隔離隔するように設置され、ガス粒子が上部へ移動する通路を形成することを特徴とする。
【０００８】
好ましくは、前記排出チューブは、一端が水中に位置し、他端が水の外部へ突出するように設けられることを特徴とする。
【０００９】
好ましくは、前記排出チューブは、絶縁材質で出来ており、電気粒子の流れに支障がないことを特徴とする。
【発明の効果】
【００１０】
本発明の水電気分解によるガス粒子分離排出装置は、電気分解の際に生成される酸素粒子が水中に溶存することを防ぎ、大気中に排出して水中に大量の純粋水素粒子のみを溶存させることができ、逆に、電気分解の際に生成される水素粒子が水中に溶存することを防ぎ、大気中に排出して水中に大量の純粋酸素粒子のみを溶存させることができる。
【図面の簡単な説明】
【００１１】
【図１】従来の水電気分解装置を示す図である。
【図２】本発明の一実施形態に係る水電気分解によるガス粒子分離排出装置の正面図である。
【図３】本発明の一実施形態に係る水電気分解によるガス粒子分離排出装置の実施図である。
【図４】本発明の一実施形態に係る水電気分解によるガス粒子分離排出装置の背面図である。
【図５】本発明の他の実施形態に係る水電気分解によるガス粒子分離排出装置の実施図である。
【発明を実施するための形態】
【００１２】
本発明の実施形態で提示される特定の構造ないし機能説明は、本発明の概念による実施形態を説明するために例示されたものに過ぎず、本発明の概念による実施形態は、様々な形態で実施できる。また、本明細書に説明された実施形態に限定されると解釈されてはならず、本発明の思想及び技術範囲に含まれるすべての変更物、均等物ないし代替物を含むと理解されるべきである。
以下、添付図面を参照して本発明について詳細に説明する。
【００１３】
図２は本発明の一実施形態に係る水電気分解によるガス粒子分離排出装置の正面図、図３は本発明の一実施形態に係る水電気分解によるガス粒子分離排出装置の実施図である。本発明の一実施形態に係る水電気分解によるガス粒子分離排出装置は、水と電解質が入っている容器１００と、容器１００の外部に位置して電源を発生する電気発生器２００と、 容器の内部に位置して電気発生器２００の電源の供給を受けて電気分解し、電位の高い陽電極板３１０と電位の低い陰電極板３２０とからなる電極板３００と、陽電極板３１０または陰電極板３２０をメッシュ状の絶縁材質で包み込むように設置され、電気分解により発生するガス粒子を大気中に排出する排出チューブ４００とを含んでなる。
ここで、ガス粒子は、酸素粒子１０と水素粒子２０を含めて指し示すものである。
【００１４】
電極板３００は、棒状をしており、電気発生器の陽極に接続される陽電極板３１０と陰極に接続される陰電極板３２０とから構成され、陰電極板３２０には電気分解された水素粒子２０が集まり、陽電極板には電気分解された酸素粒子１０が集まる。
但し、電極板３００は棒状に限定されるものではない。電極板３００はユーザーの便宜に応じて様々な形状に製作できる。
【００１５】
陽電極板３１０を包み込むように排出チューブ４００を設置すると、酸素粒子１０を大気中に排出して水中に水素粒子２０のみを溶存させることができる。
但し、排出チューブ４００を陽電極板３１０に設置することは、水に溶存する水素粒子２０の量を増やすためであり、逆に、水に溶存する酸素粒子１０の量を増やすためには、陰電極板３２０に排出チューブ４００を設置することができる。
【００１６】
排出チューブ４００は、絶縁物質で出来ており、電気の流れには支障がなく、水粒子は通過可能であり、酸素粒子１０は抜け出せない大きさの目開きを有するメッシュ状からなっている。
排出チューブ４００は、一端が水中に位置し、他端が水の外に突出して酸素３０が大気中に排出される。
【００１７】
図４は水電気分解によるガス粒子分離排出装置の背面図である。図４に示すように、排出チューブ４００の内側は電極板３００と一定間隔離隔し、電極板３００の周りを包み込むように設置されて通路を形成し、電気分解により生じた酸素粒子１０は、肉眼で識別可能な気泡状態であって体積が大きいため、メッシュ状の排出チューブ４００を抜け出せなくて水中に溶存せず、内周面に沿って形成された通路を介して移動し、水の外に突出した排出チューブ４００の一端を介して大気中に排出される。
【００１８】
図５は本発明の他の実施形態に係る水電気分解によるガス粒子分離排出装置の実施図である。図５を参照すると、電極板３００は、陽電極板３３０と陰電極板３４０が四角板状をしており、電気発生器と電極板３００とを電線２１０で接続する。
排出チューブ５００は、四角形の陽電極板３３０と一定間隔離隔して覆う形状であり、一側に酸素粒子１０を大気中に排出するための通路が水の外に突出するように設けられる。
【００１９】
電気発生部２００から電源を印加すると、電線２１０に乗って陽電極板３３０に酸素粒子１０が集まり、陰電極板３４０に水素粒子２０が集まる。
この時、陽電極板３３０に集まった粒子サイズの大きい酸素粒子１０は、メッシュ状の排出チューブ５００の外部に抜け出ることができず、排出チューブ５００と陽電極板３３０との間の空間を通じて移動して、水の外に突出する通路を介して酸素３０が大気中に排出される。
陰電極板３４０に集まる水素粒子２００はそのまま水中に溶存する。
【００２０】
以上で説明した本発明は前述した実施形態及び添付図面によって限定されるものではなく、本発明の技術的思想を逸脱することなく、様々な置換、変形及び変更を加え得るのは、本発明の属する技術分野における通常の知識を有する者に明らかであろう。
【符号の説明】
【００２１】
１０    酸素粒子
２０    水素粒子
３０    大気中の酸素
１００    容器
２００    電気発生器
２１０    電線
３００    電極板
３１０、３３０    陽電極板
３２０、３４０    陰電極板
４００、５００    排出チューブ
【図１】
2019533089.tif 000003
【図２】
2019533089.tif 000004
【図３】
2019533089.tif 000005
【図４】
2019533089.tif 000006
【図５】
2019533089.tif 000007
【国際調査報告】
2019533089.tif 000008
2019533089.tif 000009
2019533089.tif 000010
2019533089.tif 000011